(57)【要約】【課題】操作者の手の大きさによらずに、操作者が操作ハンドルを握ったときのフィット感及びハンドル操作性を向上でき、かつ意匠外観の異なる種々のバリエーションを容易に構成できる遊技機用の操作ハンドルを提供すること。【解決手段】遊技機用の操作ハンドル１は、遊技球の発射強度を調節する回動操作部を回動操作させて用いる。回動操作部は、回動ベース部と、これを前面側から覆う表面カバー４とを有している。表面カバー４は、操作者の掌に当接する凸面状の表面部４１と、表面部４１の後端部４０２において径方向外方へ突出形成した複数の操作突起部４２とを有している。表面カバー４は、いずれかの操作突起部４２から、表面部４１における前方側の頂点部４０１を経由して、反対側の後端部４０２まで凸面状に連続形成した掌当接面４０を有している。掌当接面４０には、タッチセンサ５４の導通検出部を構成する金属めっきが施してある。【選択図】図２
2008079802.tif 000002
【特許請求の範囲】
【請求項１】
遊技機における遊技球の発射強度を調節するための操作ハンドルであって、
該操作ハンドルは、上記遊技機の前面パネルに固定する固定ベース部と、該固定ベース部に対して相対的に回動操作して、上記遊技球の発射強度を調節するための回動操作部とを有しており、
上記固定ベース部は、上記前面パネルの前方へ突出する軸状ケース部と、該軸状ケース部の前面側において、操作者の指に当接する凸面状の凸面状ケース部とを有しており、
上記回動操作部は、上記固定ベース部に対して回動操作可能に配設した回動ベース部と、該回動ベース部を前面側から覆った状態で、該回動ベース部に固定した表面カバーとを有しており、
該表面カバーは、操作者の掌に当接する凸面状の表面部と、該表面部から連続形成し、該表面部の後端部において径方向外方へ突出形成した複数の操作突起部とを有していると共に、いずれかの上記操作突起部から、当該表面部における前方側の頂点部を経由して、反対側の後端部まで凸面状に連続形成した掌当接面を有しており、
該掌当接面は、当該操作ハンドルに操作者が接触したことを検出するタッチセンサの導通検出部を構成するための導電性を有していることを特徴とする遊技機用の操作ハンドル。
【請求項２】
請求項１において、上記表面カバーは、上記回動ベース部の全体を前面側から覆うフルフェース形状を有していることを特徴とする遊技機用の操作ハンドル。
【発明の詳細な説明】
【技術分野】
【０００１】
本発明は、遊技機における遊技球の発射強度を調節するための操作ハンドルに関する。
【背景技術】
【０００２】
パチンコ遊技機等の遊技機において、遊技領域への遊技球の発射強度を調節する操作ハンドルとしては、例えば、特許文献１に開示されたものがある。この特許文献１のパチンコ球発射操作装置においては、操作ハンドルを長時間握っていても手の疲れが少なくなるように、操作ハンドルの握り部のうちの掌が当る部分に、複数の突起を設けている。また、この複数の突起を設けたことにより、長時間の遊技で遊技者の掌が汗ばんだ場合でも、手が滑ることを防止し、デザイン性も向上させている。
【０００３】
また、特許文献２の遊技球発射装置のハンドル構造においては、遊技者の指と掌に捩れを生じず、遊技者に十分なフィット感を付与するための技術が開示されている。この特許文献２においては、遊技球の打ち出し強度を変更する回転操作部を、ハンドルカバーとハンドルベースとの間に回転可能に配設したハンドルリングによって構成し、ハンドルリングの一部を、ハンドルカバーの前面の一部を覆うように延出させている。そして、ハンドルリングの一部と、ハンドルリングに覆われていないハンドルカバーの露出部とによって、ハンドルの前面が形成されている。
【０００４】
しかしながら、操作ハンドルを操作する操作者の手の大きさには個人差がある。そのため、操作者の手の大きさによらずに、操作者が操作ハンドルを握ったときのフィット感及びハンドル操作性を向上させるためには、上記特許文献１、２の技術では十分ではなく、更なる工夫が必要とされる。
【０００５】
【特許文献１】特開平１１−２６７２７６号公報
【特許文献２】特開２００４−２６７３５４号公報
【発明の開示】
【発明が解決しようとする課題】
【０００６】
本発明は、かかる従来の問題点に鑑みてなされたもので、操作者の手の大きさによらずに、操作者が操作ハンドルを握ったときのフィット感及びハンドル操作性を向上させることができ、かつ意匠外観の異なる種々のバリエーションを容易に構成することができる遊技機用の操作ハンドルを提供しようとするものである。
【課題を解決するための手段】
【０００７】
本発明は、遊技機における遊技球の発射強度を調節するための操作ハンドルであって、
該操作ハンドルは、上記遊技機の前面パネルに固定する固定ベース部と、該固定ベース部に対して相対的に回動操作して、上記遊技球の発射強度を調節するための回動操作部とを有しており、
上記固定ベース部は、上記前面パネルの前方へ突出する軸状ケース部と、該軸状ケース部の前面側において、操作者の指に当接する凸面状の凸面状ケース部とを有しており、
上記回動操作部は、上記固定ベース部に対して回動操作可能に配設した回動ベース部と、該回動ベース部を前面側から覆った状態で、該回動ベース部に固定した表面カバーとを有しており、
該表面カバーは、操作者の掌に当接する凸面状の表面部と、該表面部から連続形成し、該表面部の後端部において径方向外方へ突出形成した複数の操作突起部とを有していると共に、いずれかの上記操作突起部から、当該表面部における前方側の頂点部を経由して、反対側の後端部まで凸面状に連続形成した掌当接面を有しており、
該掌当接面は、当該操作ハンドルに操作者が接触したことを検出するタッチセンサの導通検出部を構成するための導電性を有していることを特徴とする遊技機用の操作ハンドルにある（請求項１）。
【０００８】
本発明の遊技機用の操作ハンドルにおいては、手の大きさが異なる多くの操作者に対して、ハンドル操作を容易にするための工夫を行っている。
本発明の操作ハンドルは、上記固定ベース部と上記回動操作部とを有している。そして、固定ベース部は、軸状ケース部の前面側に凸面状ケース部を配設してなり、回動操作部は、回動ベース部を表面カバーによって前面側から覆って形成している。また、表面カバーは、いずれかの操作突起部から、頂点部を経由して反対側の後端部まで凸面状に連続形成した掌当接面を有している。
【０００９】
そして、遊技者等の操作者が本発明の操作ハンドルを握ったときには、操作者の掌が表面部における掌当接面にフィットすると共に、操作者の指が操作突起部における掌当接面にフィットする。これにより、操作者の手は、掌当接面により、表面部から操作突起部まで連続してフィットすることができる。そのため、手の大きさが異なる多くの操作者に対して、操作ハンドルを握ったときのフィット感を安定して与えることができる。
【００１０】
また、操作者が操作ハンドルを握ったときには、操作者の指先は、固定ベース部の凸面状ケース部に当接させることができる。これにより、操作者の指は、凸面状の掌当接面を介して凸面状ケース部に当接することができる。そのため、手の大きさが異なる多くの操作者に対して、操作ハンドルを操作するときのハンドル操作性を向上させることができる。
【００１１】
また、掌当接面は、タッチセンサの導通検出部を構成するために、導電性を有している。これにより、タッチセンサの導通検出部は、操作者の手における掌又は指のいずれの部位が当接しても、安定して操作者の接触を検出することができる。また、本発明においては、表面カバーの全体が導電性を有している必要がなく、表面カバーの一部のみが導電性を有していることによって、タッチセンサの導通検出部を構成することができる。そのため、表面カバーにおいて導電性を有する部分を適宜変更することができ、種々のバリエーションの操作ハンドルを構成することができる。
なお、掌当接面は、樹脂成形品に金属めっきを施すことにより導電性を有することができ、また、金属材料から構成することにより導電性を有することもできる。
【００１２】
また、本発明の表面カバーは、回動ベース部に対して着脱が容易である。そのため、表面カバーを、これとは形状が異なる他の表面カバーに取り替えることによって、意匠外観の異なる種々のバリエーションの操作ハンドルを容易に構成することができる。
【００１３】
以上、本発明の遊技機用の操作ハンドルによれば、操作者の手の大きさによらずに、操作者が操作ハンドルを握ったときのフィット感及びハンドル操作性を向上させることができ、かつ意匠外観の異なる種々のバリエーションの操作ハンドルを容易に構成することができる。
【発明を実施するための最良の形態】
【００１４】
上述した本発明における好ましい実施の形態につき説明する。
本発明において、上記表面カバーは、上記回動ベース部の全体を前面側から覆うフルフェース形状を有していることが好ましい（請求項２）。
この場合には、操作者の掌が固定ベース部側の部材（例えば、回動操作部を固定ベース部との間に挟持するキャップ部材等）に当接することがなく、表面カバーの掌当接面に安定して当接することができる。これにより、操作者の手の大きさによらずに、操作者が操作ハンドルを握ったときのフィット感及びハンドル操作性を一層向上させることができる。
【実施例】
【００１５】
以下に、本発明の遊技機用の操作ハンドルにかかる実施例につき、図面と共に説明する。
本例の遊技機用の操作ハンドル１は、図１に示すごとく、パチンコ遊技機１０における遊技球の発射強度を調節するものである。この操作ハンドル１は、パチンコ遊技機１０の前面パネル１１に固定する固定ベース部２と、この固定ベース部２に対して相対的に回動操作して、遊技球の発射強度を調節するための回動操作部３とを有している。
【００１６】
上記固定ベース部２は、図３に示すごとく、前面パネル１１の前方へ突出する軸状ケース部２１と、この軸状ケース部２１の前面側において、操作者の指に当接する凸面状の凸面状ケース部２２とを有している。上記回動操作部３は、図４、図５に示すごとく、固定ベース部２に対して回動操作可能に配設した回動ベース部３１と、この回動ベース部３１を前面側から覆った状態で、回動ベース部３１に固定した表面カバー４とを有している。
表面カバー４は、図２に示すごとく、操作者の掌に当接する凸面状の表面部４１と、この表面部４１から連続形成し、表面部４１の後端部４０２において径方向外方へ突出形成した複数の操作突起部４２とを有している。
【００１７】
また、表面カバー４は、図２、図３に示すごとく、いずれかの操作突起部４２から、当該表面部４１における前方側の頂点部４０１を経由して、反対側の後端部４０２まで凸面状（凸状の曲面）に連続形成した掌当接面４０を有している。この掌当接面４０は、樹脂成形品の表面に導電性を有する金属めっきを施して形成してなり、この金属めっきにより、当該操作ハンドル１に操作者が接触したことを検出するタッチセンサ５４（図６参照）の導通検出部が構成してある。
なお、前方側とは、遊技者に対向する側又は方向をいい、後方部とは、遊技者に対向する側とは反対側の部分のことをいう。
【００１８】
以下に、本例の遊技機用の操作ハンドル１につき、図１〜図６と共に詳説する。
図１に示すごとく、本例の操作ハンドル１は、パチンコ遊技機１０における球皿１２を配設する前面パネル１１から前方に起立して配設される。図４に示すごとく、固定ベース部２の凸面状ケース部２２は、前方側から見て円形状を有しており、前方側に円形状の開口端部２２０を有すると共に半球面に類似した形状を有している。
図３、図６に示すごとく、凸面状ケース部２２には、操作者の指先に当接し、回動操作部３を所定の回動位置において維持することを容易にするための当接用突起２２１が形成されている。この当接用突起２２１は、凸面状ケース部２２の表面の周方向Ｃに向けて複数形成されている。また、当接用突起２２１は、周方向Ｃに比べて、固定ベース部２の軸方向Ｌに長く形成されており、周方向Ｃに向けて所定の間隔で複数形成されている。
【００１９】
また、図３、図６に示すごとく、凸面状ケース部２２の開口端部２２０近傍の表面には、周方向Ｃに向けて所定の間隔で複数の位置合わせ用目盛り２２２が形成してあり、図２に示すごとく、表面カバー４の表面部４１における後端部４０２には、位置合わせ用目盛り２２２と合わせることができる位置合わせ用目印４７が形成してある。そして、回動操作部３を所定の回動位置に回動させるときには、操作者は、複数の位置合わせ用目盛り２２２に対する位置合わせ用目印４７の位置を目視して、回動操作部３の回動位置を決定することができる。
【００２０】
図５、図６に示すごとく、固定ベース部２の軸状ケース部２１内には、回動操作部３における回動ベース部３１の回動中心を形成する回動中心部材５１が挿通してある。この回動中心部材５１の前方側の先端部には、凸面状ケース部２２の開口端部２２０との間に、回動ベース部３１を回動可能に挟持するキャップ部材５２が配設してある。このキャップ部材５２は、表面カバー４の裏面に沿った凸面形状を有している。
そして、回動ベース部３１と表面カバー４とを組み付けてなる回動操作部３は、凸面状ケース部２２の開口端部２２０及びキャップ部材５２に沿って安定して回動操作することができる。
【００２１】
図２、図３に示すごとく、本例の表面カバー４は、回動ベース部３１の全体を前面側から覆うフルフェース形状を有している。また、表面カバー４は、その周方向Ｃにおいて、凸面状ケース部２２の開口端部２２０の外径に沿った最小外径部４５１を有しており、複数の操作突起部４２は、最小外径部４５１よりも径方向外方へ突出して形成されている。
また、本例の表面カバー４は、最小外径部４５１を形成してなる凸面状の下側カバー部４５と、この下側カバー部４５の周方向Ｃの一部に覆い被さる形状の上側カバー部４６とを有している。
【００２２】
図２に示すごとく、本例の操作突起部４２は、下側カバー部４５と上側カバー部４６とのいずれにも形成してある。複数の操作突起部４２は、下側カバー部４５に形成した第１操作突起部４２Ａと、上側カバー部４６に形成した第２操作突起部４２Ｂ及び第３操作突起部４２Ｃとからなる。
上側カバー部４６は、表面カバー４の後端部４０２における周方向Ｃの一部から、この周方向Ｃの一部とは反対側の部分（約１８０°異なる部分）まで、頂点部４０１を経由して形成されている。また、下側カバー部４５は、上側カバー部４６の両側に露出している。本例の掌当接面４０は、上側カバー部４６によって形成されており、第２操作突起部４２Ｂから頂点部４０１を経由して第３操作突起部４２Ｃまで連続して形成されている。
【００２３】
同図に示すごとく、本例の表面カバー４は、下側カバー部４５の表面に上側カバー部４６を組み付けてなり、上側カバー部４６の表面には、導電性を有する金属めっきが施されている。また、回動ベース部３１の表面にも、導電性を有する金属めっきが施されている。なお、本例の固定ベース部２、回動ベース部３１及び表面カバー４は、いずれも合成樹脂から形成されており、表面カバー４における上側カバー部４６と回動ベース部３１にのみ金属めっきが施されている。
なお、下側カバー部４５と上側カバー部４６とは、合成樹脂により一体成形して形成することもできる。
【００２４】
図６に示すごとく、本例のタッチセンサ５４は、静電容量センサであり、回動ベース部３１の後方側の表面に配設されている。そして、操作者の手が、表面カバー４の上側カバー部４６における掌当接面４０に当接すると、上側カバー部４６及び回動ベース部３１を経由して流れる静電気により、操作者が操作ハンドル１に接触したことを検出することができる。
【００２５】
図５、図６に示すごとく、回動ベース部３１は、ねじりコイルバネ５３によって、遊技球の発射強度を弱める方向に付勢されている。また、固定ベース部２には、回動操作部３を回動操作しても、遊技球の発射を停止させることができるストップスイッチ５５が配設してある。このストップスイッチ５５は、操作者が指で操作する操作部５５１と、この操作部５５１による操作状態を検出するスイッチ部５５２とを有している。
【００２６】
また、図示は省略するが、回動ベース部３１に表面カバー４を組み付けてなる回動操作部３を回動操作したときには、回動ベース部３１に連結した複数のギヤ及び可変抵抗器を介して、回動操作部３の回動操作量が検出される。これにより、パチンコ遊技機１０における制御装置は、球発射装置を操作して、遊技盤の遊技領域へ発射する遊技球の発射強度を制御することができる。
【００２７】
本例の遊技機用の操作ハンドル１においては、手の大きさが異なる多くの操作者に対して、ハンドル操作を容易にするための工夫を行っている。
そして、遊技者等の操作者が本例の操作ハンドル１を握ったときには、操作者の掌が表面部４１における掌当接面４０にフィットすると共に、操作者の指が操作突起部４２における掌当接面４０にフィットする。これにより、操作者の手は、掌当接面４０により、表面部４１から操作突起部４２まで連続してフィットすることができる。そのため、手の大きさが異なる多くの操作者に対して、操作ハンドル１を握ったときのフィット感を安定して与えることができる。
【００２８】
また、操作者が操作ハンドル１を握ったときには、操作者の指先は、固定ベース部２の凸面状ケース部２２に当接させることができる。これにより、操作者の指は、凸面状の掌当接面４０を介して凸面状ケース部２２に当接することができる。そのため、手の大きさが異なる多くの操作者に対して、操作ハンドル１を操作するときのハンドル操作性を向上させることができる。
【００２９】
また、本例におけるタッチセンサ５４の導通検出部は、掌当接面４０に施した金属めっきにより構成してある。これにより、タッチセンサ５４の導通検出部は、操作者の手における掌又は指のいずれの部位が当接しても、安定して操作者の接触を検出することができる。また、本例においては、表面カバー４の全体に金属めっきを施す必要がなく、表面カバー４の一部にのみ金属めっきを施すことによって、タッチセンサ５４の導通検出部を構成することができる。そのため、表面カバー４において金属めっきを行う部分を適宜変更することができ、種々のバリエーションの操作ハンドル１を構成することができる。
【００３０】
また、本例の表面カバー４は、回動ベース部３１に対して着脱が容易である。そのため、表面カバー４を、これとは形状が異なる他の表面カバー４に取り替えることによって、意匠外観の異なる操作ハンドル１を容易に形成することができる。
【００３１】
以上、本例の遊技機用の操作ハンドル１によれば、操作者の手の大きさによらずに、操作者が操作ハンドル１を握ったときのフィット感及びハンドル操作性を向上させることができ、かつ意匠外観の異なる種々のバリエーションの操作ハンドル１を容易に構成することができる。
【図面の簡単な説明】
【００３２】
【図１】実施例における、パチンコ遊技機に配設した操作ハンドルを示す斜視図。
【図２】実施例における、操作ハンドルの表面カバーを示す正面図。
【図３】実施例における、操作ハンドルを示す側面図。
【図４】実施例における、操作ハンドルを分解したときの主要部品を示す斜視図。
【図５】実施例における、操作ハンドルを示す断面説明図。
【図６】実施例における、操作ハンドルを示す図で、図５におけるＡ−Ａ線矢視断面説明図。
【符号の説明】
【００３３】
１  操作ハンドル
１０  パチンコ遊技機
１１  前面パネル
２  固定ベース部
２１  軸状ケース部
２２  凸面状ケース部
３  回動操作部
３１  回動ベース部
４  表面カバー
４０  掌当接面
４０１  頂点部
４０２  後端部
４１  表面部
４２  操作突起部
５１  回動中心部材
５２  キャップ部材
５３  ねじりコイルバネ
５４  タッチセンサ
Ｌ  軸方向
Ｃ  周方向
【図１】
2008079802.tif 000003
【図２】
2008079802.tif 000004
【図３】
2008079802.tif 000005
【図４】
2008079802.tif 000006
【図５】
2008079802.tif 000007
【図６】
2008079802.tif 000008